(57)【要約】【課題】  操作性に優れ、低コストの指紋認識機能を備えた機器に用いるスイッチ装置を提供する。【解決手段】本発明のスイッチ装置は、筐体１に設けられたスイッチボタンと、スイッチボタンから指紋情報を読み取る指紋センサ５と、指紋センサ５の指紋情報６を認識する指紋認識部７と、指紋認識部７で認識した指紋情報と予め登録した指紋情報とを照合する指紋照合部７ａとを備えたもので、スイッチボタンは、可動接片を有し指の操作によりスライドさせるスライド部材３とし、筐体１にスライド部材の可動接触片３ａの接触により回路を開閉する固定端子４を設け、指紋センサ５はスライド部材３のスライド方向と直角方向に設けたラインセンサとし、スライド部材を所定距離スライドさせたとき、指紋情報を読み取るようにしたものである。【選択図】    図１
2009193303.tif 000002
【特許請求の範囲】
【請求項１】
筐体に設けられたスイッチボタンと、前記スイッチボタンから指紋情報を読み取る指紋センサと、前記指紋センサの指紋情報を認識する指紋認識部と、前記指紋認識部で認識した指紋情報と予め登録した指紋情報とを照合する指紋照合部とを備えたスイッチ装置において、
前記スイッチボタンは、可動接片を有し指の操作によりスライドさせるスライド部材とし、前記筐体に前記スライド部材の可動接触片の接触により回路を開閉する固定端子を設け、前記指紋センサは前記スライド部材のスライド方向と直角方向に設けたラインセンサとし、前記スライド部材を所定距離スライドさせたとき、指紋情報を読み取るようにしたことを特徴とするスイッチ装置。
【請求項２】
前記指紋センサは、前記ラインセンサに代えてエリアセンサにしたことを特徴とする請求項１記載のスイッチ装置。
【請求項３】
前記固定端子の開閉の有無を外部に出力する接点信号出力部を設けたことを特徴とする請求項１記載のスイッチ装置。
【請求項４】
前記指紋照合部で指紋が一致したときに、その一致信号出力を前記接点信号出力部に送り前記固定端子の閉信号を出力するようにしたことを特徴とする請求項３記載のスイッチ装置。
【発明の詳細な説明】
【技術分野】
【０００１】
本発明は、指でスライドさせてスイッチ操作を行う際に、指紋情報を読み取り指紋の認識を行うスイッチ装置に関する。
【背景技術】
【０００２】
従来のスイッチ装置として、接触片を有したスライド部材を指でスライドさせると、固定接触片と接触し回路を開閉するものがある。
一方、スイッチに指を当て押下させると接点がＯＮ状態になり、指紋読み取り記憶させていた指紋と照合しそれが合致するとＡＮＤ回路から出力信号が出力するものがある。
（例えば、特許文献１参照）。
【特許文献１】特開平１−３２１５８５号公報
【発明の開示】
【発明が解決しようとする課題】
【０００３】
ところが、従来の押しボタン式のスイッチの場合、指を当てた状態を保っていると誤って押下する場合がある。
また、他のスイッチ装置では、指紋認識を行ないたい場合、指紋認識とスライドスイッチのスイッチ操作は別々に行う必要がある。たとえば、指紋認識によりその装置・設備の操作権限があることを確認した後に、スライドスイッチによるスイッチ機能を有効にしたい場合などでは、
１）指紋認識機能のセンサ部分に指紋を読み取らせて指紋認識する
２）スイッチを操作する
という２回の操作が必要になり、単にスライドスイッチを操作する場合に比べて１回多い操作が必要になるという問題があった。
さらに、操作の回数増を許容する、またはスライドスイッチのすぐ横に指紋センサを設置して、スライドスイッチを操作する指と別の指で、スライド時に同時に指紋認証する構造にすることなどで、１回の操作ですむようにした場合に指紋認識機能を備えた部品・機器を準備するコストがかかる問題もある。
本発明はこのような問題点に鑑みてなされたものであり、誤操作がなく、操作性に優れ、低コストの指紋認識機能を備えた機器に用いるスイッチ装置を提供することを目的とする。
【課題を解決するための手段】
【０００４】
上記問題を解決するため、本発明は次のように構成したものである。
請求項１に記載の発明は、筐体に設けられたスイッチボタンと、前記スイッチボタンから指紋情報を読み取る指紋センサと、前記指紋センサの指紋情報を認識する指紋認識部と、前記指紋認識部で認識した指紋情報と予め登録した指紋情報とを照合する指紋照合部とを備えたスイッチ装置において、前記スイッチボタンは、可動接片を有し指の操作によりスライドさせるスライド部材とし、前記筐体に前記スライド部材の可動接触片の接触により回路を開閉する固定端子を設け、前記指紋センサは前記スライド部材のスライド方向と直角方向に設けたラインセンサとし、前記スライド部材を所定距離スライドさせたとき、指紋情報を読み取るようにしたものである。
請求項２に記載の発明は、前記指紋センサを前記ラインセンサに代えてエリアセンサにしたものである。
請求項３に記載の発明は、前記固定端子の開閉の有無を外部に出力する接点信号出力部を設けたものである。
請求項４に記載の発明は、前記指紋照合部で指紋が一致したときに、その一致信号出力を前記接点信号出力部に送り前記固定端子の閉信号を出力するようにしたものである。
【発明の効果】
【０００５】
請求項１、２に記載の発明によれば、スライドスイッチの通常の操作である、スライド操作を行う間に指紋情報を読み取り、その情報により指紋認識を行うので、別に指紋認識のための操作を行う必要がなく、操作が簡便になる。
請求項３に記載の発明によれば、外部に接点信号を出力するので、このスイッチによる外部装置の制御が可能になる。
請求項４に記載の発明によれば、指紋が一致したときのみに外部に接点信号を出力するので、余分な操作がなくなる。また、別に指紋認識機能を備えた部品・機器を準備するコストが不要になる。
【発明を実施するための最良の形態】
【０００６】
以下、本発明の実施の形態について図を参照して説明する。
【実施例１】
【０００７】
図１は、本発明の実施例１を示すスイッチ装置の構成図である。
図において、１は筐体、２はスライドスイッチ、３はスライド部材、４は固定接触片、５は指紋センサ、７は指紋認識部、９は認識結果信号出力部、１０は認識結果信号、１１は接点信号出力部、１２は接点信号、１３は出力端子である。なお、スライド部材３の裏面には可動接触片３ａが設けてある。
本実施例のスライドスイッチ２は、可動接触片３ａが固定接触片４ａ、４ｂの間を導通させる一般的な構造となっている。
【０００８】
本発明が従来のスライドスイッチと異なる部分は、スライド部分と相対しスライド部分が通過する位置に指紋センサを備え、スライド部分は指紋読み取り用の信号を透過する材質または構造とし、指によるスライド操作中に指紋センサにより指紋情報を読み取る機能を備え、読み取った指紋情報により指紋認識を行う機能を備えた部分である。
【０００９】
スライド部材３を上からみた形状を図２に示す。指をおく部分に透明部材３ｂを用いている。透明部材３の裏面の側縁３ｃには図示しない可動接触片３ａが取り付けられている。なお、透明部材３ｂに代えて図３に示すようなすき間でもよい。図３は、他のスライド部材３の上面図であり、指をおく透明部材３ｂに代えてすき間を空け、指紋センサ５の指紋読み取りを可能にしたものである。
指紋センサ５は、検出部をスライド部材３のスライド方向と直交させて配置したラインセンサである。指紋認識部７は、ラインセンサから時系列に送信されるセンシングデータを、形状データに変換した後、指紋として認識し、あらかじめ記録されている指紋データと照合する構成になっている。認識結果信号出力部９は、指紋の照合結果を元に、登録データと一致したかしなかったか（認証したかしなかったか）の結果を、認識結果信号１０として外部に出力する。  接点信号出力部１１は、固定接触片４ａと４ｂの導通時に、外部に接点信号１２を出力する。
【００１０】
つぎに本実施例の動作について、図４および図５を用いて説明する。
図４は指紋読み取り状態を示したもの、図５は読み取りが完了しスライドスイッチ１が導通している状態を示したものである。
(1)先ず、スライド部材３に指を押し当て、スライド部材３をスライドさせる（図４）。
(2)指紋を読み取る（図４）。
スライド部材３は、スライド中に指紋センサ５が動作し指紋を読み取り、指紋情報６を指紋認識部７に送る。指紋を読み取り後、スライドスイッチ１の移動が完了し、可動接触片３ａと固定接触片４とが接触し導通する（図５）。
(3)指紋を認識し照合する。
指紋情報６を指紋認識部７にて認識し、予め登録しておいた登録指紋と照合する演算を行い、指紋の認識結果８を出力する。
(4) 指紋の照合結果を外部に出力する。
認識結果８は、認識結果信号出力部９に送られ、認識結果信号１０として外部に出力される。
(5)  固定端子４ａ、４ｂと、可動接触片３ａによる接点信号は、接点信号出力部１１により、接点信号１２として外部に出力される。
【００１１】
本実施例では、接点信号と認識結果を外部に出力する構成を示したが、外部に出力する認識結果は、これに限らず認識したかどうかの２値情報でも良く、またあらかじめ登録しておいた複数の対象のどれとして認識したかの情報でもよい。
また、外部に出力する接点信号は、認識結果に関わらず出力されているが、認識結果を参照し、認識された場合にのみ接点信号を出力するように構成してもよい。
【産業上の利用可能性】
【００１２】
本発明のスライドスイッチは、これを用いた電気錠、情報家電、携帯電話、携帯情報端末、ＰＯＳシステムの端末、ホームオートメーション機器、車載機器、航空機搭載機器などの用途にも適用できる。
【図面の簡単な説明】
【００１３】
【図１】本発明の実施例を示すスライドスイッチの構成図
【図２】図１のスライド部材を示す上面図
【図３】図１の他のスライド部材を示す上面図
【図４】本発明の実施例の指紋読み取り状態を示す断面図
【図５】本発明の実施例の導通状態を示す断面図
【符号の説明】
【００１４】
１  筐体
２  スライドスイッチ
３  スライド部材
３ａ  可動接触片
３ｂ  透明部材
３ｃ  すき間
４、４ａ、４ｂ  固定接触片
５  指紋センサ
６  指紋情報
７  指紋認識部
７ａ  指紋照合部
８  認識結果
９  認識結果信号出力部
１０  認識結果信号
１１  接点信号出力部
１２  接点信号
１３、１３ａ、１３ｂ、１３ｃ、１３ｄ  出力端子
【図１】
2009193303.tif 000003
【図２】
2009193303.tif 000004
【図３】
2009193303.tif 000005
【図４】
2009193303.tif 000006
【図５】
2009193303.tif 000007